(57)【要約】それぞれ異なる技術タイプの無線ネットワーク間で情報を転送するための方法において、第１のネットワーク内のノードが、第２のネットワークの複数のノードに関連する構成情報を受け取り、この情報が、第２の技術タイプの隣接セルに関連する無線アクセス制御装置についての識別情報を含む。第１のネットワーク内のノードは、構成情報を受け取った後、移動装置がそれを介して第１のネットワークにアクセスする第１のネットワーク内の複数のノードに識別情報を送る。本発明は、排他的にではなく、特に、第１のネットワークがＬＴＥに従い、第２のネットワークがＵＭＴＳに従い、情報が、ＬＴＥからＵＭＴＳネットワークへのハンドオーバに使用するためのＲＮＣ−ｉｄを含む場合に適用可能である。
2011526451.tif 000002
【特許請求の範囲】
【請求項１】
第１の技術タイプの第１のネットワークおよび第２の異なる技術タイプの第２のネットワークが隣接セルを有する、それぞれ異なる技術タイプの無線ネットワーク間で情報を転送する方法であって、
前記第１のネットワーク内のノードが、前記第２のネットワークの複数のノードに関連する構成情報を受け取るステップを含み、前記情報が、前記第２の技術タイプの隣接セルに関連する無線アクセス制御装置についての識別情報を含み、さらに、
前記第１のネットワーク内の前記ノードが、前記構成情報を受け取った後、移動装置がそれを介して前記第１のネットワークにアクセスする前記第１のネットワーク内の複数のノードに識別情報を送るステップとを含む、方法。
【請求項２】
前記第１のネットワーク内の前記ノードが移動管理ノードである、請求項１に記載の方法。
【請求項３】
前記第１のネットワークが３ＧＰＰ  ＬＴＥ規格に従い、前記第２のネットワークがＵＭＴＳ規格に従い、前記第１のネットワーク内の前記ノードが移動管理エンティティ（ＭＭＥ）であり、前記第２のネットワークの前記無線アクセス制御装置が無線ネットワーク制御装置（ＲＮＣ）ノードであり、前記識別情報がＲＮＣ−ｉｄを含む、請求項１または２に記載の方法。
【請求項４】
前記識別情報が、前記ＭＭＥによって、別の目的をも遂行するメッセージ内で送られる、請求項３に記載の方法。
【請求項５】
前記メッセージが前記ＭＭＥ構成メッセージである、請求項４に記載の方法。
【請求項６】
前記識別情報が、前記ＭＭＥによって、この目的に専用であるメッセージ内で送られる、請求項３に記載の方法。
【請求項７】
前記識別情報が、Ｓ１インターフェースを介して前記ＭＭＥから複数のｅＮＢに送られる、請求項３乃至６のいずれか１項に記載の方法。
【請求項８】
ＭＭＥによって受け取られる前記構成情報が、所与のＲＡＣについてＳＧＳＮから取得される、請求項３乃至７のいずれか１項に記載の方法。
【請求項９】
前記構成情報が、前記第１ネットワーク内の前記ノードによって、所定の間隔、ネットワークが新しく設定されるとき、ハンドオーバが企図されるとき、および前記第２のネットワークが再構成され、または別のやり方で変更されるときのうちの少なくとも１つで受け取られる、請求項１乃至８のいずれか１項に記載の方法。
【発明の詳細な説明】
【技術分野】
【０００１】
本発明は、第１の技術タイプの第１のネットワークおよび第２の異なる技術タイプの第２のネットワークが隣接セルを有する、それぞれ異なる技術タイプの無線ネットワーク間で情報を転送するための方法に関する。
【背景技術】
【０００２】
現在、第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）は、技術仕様書３ＧＰＰ  ＴＳ  ３６．３００  ｖ８．５．０（２００８−０５）に記載された、Ｅ−ＵＴＲＡＮとも呼ばれるロング・ターム・エボリューション（ＬＴＥ：Ｌｏｎｇ  Ｔｅｒｍ  Ｅｖｏｌｕｔｉｏｎ）を開発中であり、追加の情報および関連文書について同文献を参照されたい。３ＧＰＰ  ＬＴＥの目的は、たとえば効率およびサービスを向上させることによってユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）無線アクセス・ネットワーク規格を拡張することである。
【０００３】
ＬＴＥでは、ユーザ機器（ＵＥ：ｕｓｅｒ  ｅｑｕｉｐｍｅｎｔ）は、ネットワーク・ノード、Ｅ−ＵＴＲＡＮ  Ｎｏｄｅ  Ｂ（ｅＮＢ）と通信し、データが、それらの間の無線リンクを介して無線ベアラ（ＲＢ：ｒａｄｉｏ  ｂｅａｒｅｒ）上で送信される。ｅＮＢは、Ｓ１と指定されたインターフェースを介して移動管理エンティティ（ＭＭＥ：Ｍｏｂｉｌｅ  Ｍａｎａｇｅｍｅｎｔ  Ｅｎｔｉｔｙ）とインターフェースする。ＬＴＥネットワークは一般に、図１に概略的に示されるように、複数のｅＮＢとＭＭＥとを含む（Ｓ１−フレックス機構によって、ｅＮＢを複数のＭＭＥに接続することが可能となる）。
【０００４】
一般的なＵＭＴＳネットワークでは、複数の無線アクセス制御装置（ＲＮＣ：Ｒａｄｉｏ  Ａｃｃｅｓｓ  Ｃｏｎｔｒｏｌｌｅｒ）はそれぞれ、図２に概略的に示されるように、複数の基地局Ｂを制御する。移動装置ＵＥは、基地局を介してネットワークに接続する。
【０００５】
移動装置（ＵＥ）がＬＴＥネットワークに接続される場合には、たとえば信号状態が変化する場合または移動装置が移動中である場合、あるいは他の何らかの目的によりその接続を別のネットワークにハンドオーバする必要があり得る。したがって、ＵＥは、ＬＴＥネットワーク内のセルから、隣接した１つまたは複数のセルを有するＵＭＴＳネットワークに転送され得る。
【０００６】
ＬＴＥ−ＵＭＴＳの自動隣接関係機能（ＡＮＲＦ：ａｕｔｏｍａｔｉｃ  ｎｅｉｇｈｂｏｕｒ  ｒｅｌａｔｉｏｎ  ｆｕｎｃｔｉｏｎ）の一環として、ＵＥが接続されているｅＮＢは、ＵＥによって、それが新しい隣接ＵＭＴＳセルを検出したことの通知を受けることができる。ソースｅＮＢは、ＵＥに、セルが属するＵＭＴＳ  ＲＮＣによってブロードキャストされた情報から、ＵＭＴＳネットワーク内でそのセルを一意に識別するその隣接セルのグローバル・セルＩＤを取得するよう要求することができ（３ＧＰＰ  ＴＳ  ３６．３００  ｖ８．５．０  第２２．３．４項参照）、隣接セル内でブロードキャストされたロケーション・エリア識別（ＬＡＩ：Ｌｏｃａｔｉｏｎ  Ａｒｅａ  Ｉｄｅｎｔｉｆｉｃａｔｉｏｎ）およびルーティング・エリア・コード（ＲＡＣ：Ｒｏｕｔｉｎｇ  Ａｒｅａ  Ｃｏｄｅ）を要求することもある。グローバル・セルＩＤは、ＵＣ−ｉｄまたはＵＴＲＡＮグローバル・セルＩＤとも呼ばれる。ＵＴＲＡＮセルＩＤ  ＵＣ−ｉｄは、ＲＮＣ識別子（ＲＮＣ−ｉｄ）とセル（Ｃ−ｉｄ）とを含み、ただし、ＵＣ−ｉｄ＝ＲＮＣ−ｉｄ＋Ｃ−ｉｄである（３ＧＰＰ  ＴＳ  ２５．４０１  ｖ８．０．０  第６．１．５項参照）。
【０００７】
ＵＥは、そのセルが属するＲＮＣのＲＮＣ−ｉｄ（ＲＮＣ識別子）を必ずしも読み出すことができるとは限らない。グローバルＵＴＲＡＮセルＩＤ／ＵＣ−ｉｄへのマスク適用によってＲＮＣ−ｉｄを取得できない状況があり得る。ＵＣ−ｉｄは、ＲＮＣ−ｉｄとセルＣ−ｉｄとを含む（ＵＣ−ｉｄ＝ＲＮＣ−ｉｄ＋Ｃ−ｉｄ）が、この長さは変化することがある。ほとんどのネットワークでは、ＵＣ−ｉｄ（２８ビット）＝ＲＮＣ−ｉｄ（１２ビット）＝＋Ｃ−ｉｄ（１６ビット）である。しかし、フラットなエリアでは一般に、ＵＣ−ｉｄ（２８ビット）＝ＲＮＣ−ｉｄ（１６ビット）＋Ｃ−ｉｄ（１２ビット）とすることもある。したがって、マスクを使用したＲＮＣ−ｉｄの検出が可能でないことがある。発見された隣接セルのＲＮＣ−ｉｄの長さが知られていないとき、ＬＴＥソースｅＮＢからこのセルに向かうハンドオーバは、ハンドオーバを引き起こすためのハンドオーバ・メッセージをルーティングするのにＲＮＣ−ｉｄが必要とされるので、実施することができない。３ＧＰＰ  ＴＳ  ３６．４１３（Ｓ１−ＡＰ仕様）では、ＬＴＥからＵＭＴＳへのハンドオーバ用のターゲット・セルＩＤが、ソースｅＮＢによって送られる「ＨＯ要求（ＨＯ  Ｒｅｑｕｉｒｅｄ）」メッセージに含まれており、第９．２．１．６項に、ターゲットＲＮＣ−ｉｄとして定義されている。
【０００８】
ＡＮＲＦの代替案として、ＬＴＥネットワークのｅＮＢは、ＬＴＥネットワークが最初に設定されるとき、運用保守（Ｏ＆Ｍ：Ｏｐｅｒａｔｉｏｎ  ａｎｄ  Ｍａｉｎｔｅｎａｎｃｅ）によって、適切な場合には周囲のＵＭＴＳ  ＲＡＣに関する情報を含み、またこれらのＲＡＣを備えるＲＮＣ−ｉｄのリストを含むように構成されてよい。これは、多くのｅＮＢが構成に関する総合的な情報を得るという点で多大な労力を要する。ＵＭＴＳネットワークに変化が生じる場合、たとえば新しい基地局が追加され、またはＲＡＣ割当てが変更される場合、ＬＴＥネットワークの隣接ノードをこのフィールドで更新する必要がある。
【先行技術文献】
【非特許文献】
【０００９】
【非特許文献１】３ＧＰＰ  ＴＳ  ３６．３００  ｖ８．５．０（２００８−０５）
【非特許文献２】３ＧＰＰ  ＴＳ  ２５．４０１  ｖ８．０．０
【非特許文献３】３ＧＰＰ  ＴＳ  ３６．４１３
【発明の概要】
【課題を解決するための手段】
【００１０】
本発明の一態様によれば、第１の技術タイプの第１のネットワークおよび第２の異なる技術タイプの第２のネットワークが隣接セルを有する、それぞれ異なる技術タイプの無線ネットワーク間で情報を転送する方法が、
第１のネットワーク内のノードが、第２のネットワークの複数のノードに関連する構成情報を受け取るステップを含み、情報が、第２の技術タイプの隣接セルに関連する無線アクセス制御装置についての識別情報を含み、さらに、
第１のネットワーク内のノードが、構成情報を受け取った後、移動装置がそれを介して第１のネットワークにアクセスする第１のネットワーク内の複数のノードに識別情報を送るステップとを含む。
【００１１】
本発明は、排他的にではなく、特に、第１のネットワークがＬＴＥ規格に従い、第２のネットワークがＵＭＴＳに従い、情報が、ＬＴＥからＵＭＴＳネットワークへのハンドオーバに使用するためのＲＮＣ−ｉｄを含む場合に適用可能である。本発明による方法をやはり活用することができる、それぞれ異なる無線アクセス技術（ＲＡＴ：Ｒａｄｉｏ  Ａｃｃｅｓｓ  Ｔｅｃｈｎｏｌｏｇｙ）タイプの他の組合せがあってよい。
【００１２】
次に、本発明によるいくつかの実施形態および方法について、例示するためだけに、添付の図面を参照して述べられる。
【図面の簡単な説明】
【００１３】
【図１】ＬＴＥネットワークを概略的に示す図である。
【図２】ＵＭＴＳネットワークを概略的に示す図である。
【図３】本発明による一方法および装置を概略的に示す図である。
【発明を実施するための形態】
【００１４】
図１および２を参照して述べると、必要なＵＭＴＳ構成情報は、ＬＴＥネットワーク内のＵＭＴＳ隣接セル情報を更新する必要があるとき、ＵＭＴＳサービスＧＰＲＳサポート・ノード（ＳＧＳＮ：Ｓｅｒｖｉｎｇ  ＧＰＲＳ  Ｓｕｐｐｏｒｔ  Ｎｏｄｅ）から、たとえば所定の間隔；ネットワークが新しく設定されるとき；ハンドオーバが企図されるとき；ＵＭＴＳネットワーク２が再構成され、または他のやり方で変更されたとき；あるいは他の何らかのベースで取り出される。この情報は、ＲＡＣのリストと、各ＲＡＣごとの、そのＲＡＣに関与するＲＮＣ−ｉｄのリストとを含む。この情報は一般に、それがページングに使用されるので、ＳＧＳＮ内で容易に入手可能である。この情報は、ＬＴＥネットワークのＭＭＥに送信され、次いで、このＭＭＥは、この情報をネットワークのすべてのｅＮＢに引き渡す。Ｓ１−フレックスの場合には、１つのＭＭＥだけが、複数のｅＮＢに情報を送ることができる。
【００１５】
この情報は、ＭＭＥからｅＮＢに、新しい情報メッセージの「ＵＭＴＳ構成データ」情報要素部分内で送信される。別の方法では、この情報は、「ＭＭＥ構成更新メッセージ」など、既存のＬＴＥメッセージ内に含まれる。ＭＭＥは、ＲＡＣのリストと、各ＲＡＣごとの、関連するＲＮＣ−ｉｄのリストとを含むＭＭＥ構成更新メッセージを送る。図３は、既存のＭＭＥ構成更新メッセージを使用した一実施形態を示している。従来このメッセージは、Ｓ１設定手順において以前に提供された情報を更新するためだけに使用されていた。したがって、この方法では、ＭＭＥ構成メッセージの目的が拡大される。別の実施形態では、この情報は、Ｓ１設定構成データの更新ではない構成データを運ぶ新しく導入されたメッセージによって運ばれる。
【００１６】
本発明による別の方法では、「ＵＭＴＳ構成データ」情報は、ＭＭＥによって、限られた１組のｅＮＢだけに送られる。これらは、ＵＭＴＳ  ＲＡＣに隣接する特定の１組のＬＴＥトラッキング・エリア（ＴＡ：ｔｒａｃｋｉｎｇ  ａｒｅａ）に属するものとして選択されてよい。
【００１７】
ＬＴＥネットワーク３内のｅＮＢ  ２に接続されたＵＥ  １は、ＵＭＴＳネットワーク４の隣接セルへのハンドオーバの考慮対象となる場合、隣接セルの存在についてｅＮＢ  ２に知らせる。関連するｅＮＢがこの時点で、ＭＭＥから受け取られたＵＭＴＳ構成情報を保持するので、ソースｅＮＢ  ２は、そのセルのＲＡＣを備えるＲＮＣ−ｉｄのマスクを、報告された隣接グローバルＵＴＲＡＮ  ｃｅｌｌ−ｉｄに適用することができ、それが正確な隣接ＲＮＣ−ｉｄを決定することが可能となる。所与のＲＡＣについて、１つのマスクだけが一致し得ると想定される。マスキングでは、ＲＮＣ−ｉｄは、ＵＥ  １によってソースｅＮＢ  ２に報告されたＵＣ−ｉｄの第１のビットと比較される。したがって、たとえば、ＵＥが報告し（ＲＡＣ＝３およびＵＣ−ｉｄ＝１１１１１１１１１１１１１１１１０００００００００００１）、ＵＭＴＳ構成情報が、ＲＡＣ＝３について、ＲＮＣ−ｉｄ＝１６ビット長、またはＲＡＣ＝３について、ＲＮＣ−ｉｄが１１１１１１１１１１１１１１１１または１０１０１０１０１０１０１０１０を示す場合、正確なＲＮＣ−ｉｄは、１１１１１１１１１１１１１１１１であると決定することができる．この正確な隣接ＲＮＣ−ｉｄは、検出された隣接ＵＭＴＳセルへのハンドオーバ・メッセージ内にさらに含まれてよい。
【００１８】
あるいは、ＲＡＣがすべて同じ長さのＲＮＣ−ｉｄからなると想定され得るＵＭＴＳネットワークでは、ＬＴＥ  ｅＮＢに提供される情報は、ＲＡＣのリスト、およびＲＡＣごとの適用されるマスクの長さだけを必要とする。
【００１９】
本発明による方法を使用することによって、ＲＡＴ間アプリケーションのためのＡＮＲＦへの自己最適化ネットワーク（ＳＯＮ：ｓｅｌｆ−ｏｐｔｉｍｉｚｉｎｇ  ｎｅｔｗｏｒｋ）手法が容易になり得る。新しいＵＭＴＳ隣接セルが検出されると、必要な構成情報へのアクセスが自動化されて、そのセルへのハンドオーバが容易になり得る。この方法は、ｅＮＢが自動的に更新され得るので、ＵＭＴＳシステム内の将来のどんなＲＡ（再）割当てにも関係なく実施することもできる。
【００２０】
本発明は、その精神または本質的な特徴から逸脱せずに、他の特定の形で具現化し、他の方法で実施することができる。上述の実施形態および方法は、すべての点において、限定的ではなく、例示的なものにすぎないと見なすべきである。したがって、本発明の範囲は、上記の説明ではなく、添付の特許請求の範囲によって示される。特許請求の範囲の均等物の意味および範囲内に含まれるすべての変更は、その範囲内に包含されるものである。
【図１】
2011526451.tif 000003
【図２】
2011526451.tif 000004
【図３】
2011526451.tif 000005
【国際調査報告】
2011526451.tif 000006
2011526451.tif 000007